(57)【要約】【課題】本発明は高圧縮率を持つ古い段ボール回収設備を開示した。【解決手段】回収箱を含み、前記回収箱の中には動力チャンバが設置され、前記回収箱の中には前記動力チャンバの左側に位置した上方と右方に開口した原料チャンバが設置され、前記原料チャンバが圧縮待ちの古い段ボールを保存でき、前記回収箱の中には前記動力チャンバの右下側に位置した上方と右方に開口した圧縮チャンバが設置され、前記動力チャンバの中には前記原料チャンバの前側に位置した送り装置が設置され、前記送り装置が前記原料チャンバの中から古い段ボールを取り出すことができる。【選択図】図１
2020203312.tif 000002
【特許請求の範囲】
【請求項１】
正面視で、回収箱を含み、
前記回収箱の中には動力チャンバが設置され、前記回収箱の中には前記動力チャンバの左側に位置した上方と右方に開口した原料チャンバが設置され、前記原料チャンバが圧縮待ちの古い段ボールを保存でき、前記回収箱の中には前記動力チャンバの右下側に位置した上方と右方に開口した圧縮チャンバが設置され、前記動力チャンバの中には前記原料チャンバの前側に位置した送り装置が設置され、前記送り装置が前記原料チャンバの中から古い段ボールを取り出すことができ、前記動力チャンバの中には前記送り装置の右側に位置した古い段ボールを運輸して初期圧縮できる伝送装置が設置され、前記動力チャンバの中には前記伝送装置の前後両側に位置した対称な切断装置が設置され、前記切断装置が段ボール芯を切断でき、
前記動力チャンバの中には前記伝送装置の上側に位置した連動装置が設置され、前記動力チャンバの中には前記連動装置の右側に位置した圧縮装置が設置され、前記圧縮装置が切断された段ボールを更に圧縮でき、前記連動装置は前記動力チャンバの中に回転できるように連結される回転盤と、前記回転盤に固定的に連結される長クランクと、前記回転盤に固定的に連結され且つ前記長クランクの右側に位置した短クランクと、前記短クランクにヒンジにより連結される連結ロッドにより、また前記回転盤と前記長クランクとの回転を利用し、前記圧縮装置を運動連動させることができ、同時に前記回転盤が前記短クランクと前記連結ロッドにより前記送り装置を運動連動させることができることを特徴とする高圧縮率を持つ古い段ボール回収設備。
【請求項２】
前記圧縮チャンバの右側開口には箱ドアが回転できるように連結されていることを特徴とする請求項１に記載の高圧縮率を持つ古い段ボール回収設備。
【請求項３】
前記送り装置は前記動力チャンバの前側内壁に回転できるように連結された前後に延びている歯車軸を含み、前記歯車軸には方向変更歯車が固定的に連結され、前記歯車軸の下端には送りラックが噛合するように連結され、前記送りラックの後端には前記原料チャンバの下側内壁にスライドできるように連結される長プッシュブロックが固定的に連結され、前記長プッシュブロックが前記原料チャンバの前側端面から伸び出し、前記方向変更歯車の上端には前記原料チャンバの前側端面にスライドできるように連結されるラックが噛合するように連結されていることを特徴とする請求項１に記載の高圧縮率を持つ古い段ボール回収設備。
【請求項４】
前記伝送装置は前記動力チャンバの内壁に回転できるように連結される左右対称な二本のプーリー軸を含み、前記プーリー軸が前後に伸びており、且つ前記歯車軸の右下側に位置しており、前記プーリー軸にはプーリーが固定的に連結され、左右両側の前記プーリーの間にはベルトコンベヤーが連結され、左側の前記プーリー軸には前記動力チャンバの前側内壁に固定的に連結されるモーターが伝動できるように連結され、左側の前記プーリー軸には前記プーリーと前記モーターとの間に位置した同期プーリーが固定的に連結され、左側の前記プーリー軸には前記プーリーの後側に位置した主プーリーが固定的に連結され、前記動力チャンバの中には前記プーリー軸の上側に位置した左右対称な二本の連動軸が回転できるように連結され、前記連動軸が前後に延びており、且つ前記連動軸には圧着プーリーが固定的に連結され、左右両側の前記圧着プーリーの間にはＶベルトが連結され、左側の前記連動軸には前記圧着プーリーの後側に位置した副プーリーが固定的に連結され、前記副プーリーと前記主プーリーとの間には平ベルトが連結され、右側の前記連動軸には前記圧着プーリーの後側に位置した副マルチ楔プーリーが固定的に連結されていることを特徴とする請求項１又は請求項３に記載の高圧縮率を持つ古い段ボール回収設備。
【請求項５】
前記切断装置は前記動力チャンバの下側内壁に回転できるように連結される前後対称な二本の滑車輪軸を含み、前記滑車輪軸が上下に伸びており、前記滑車輪軸の上端には滑車輪が固定的に連結され、前後両側の前記滑車輪の間には上下対称な二本の線鋸が連結され、前側の前記滑車輪軸には前記滑車輪の下側に位置した副傘歯車が固定的に連結され、前記動力チャンバの前側内壁には前後に延びている複合軸が回転できるように連結され、前記複合軸には前記副傘歯車と噛合するように連結される主傘歯車が固定的に連結され、前記複合軸には前記主傘歯車の前側に位置した副同期プーリーが固定的に連結され、前記副同期プーリーと前記同期プーリーとの間には同期ベルトが連結されていることを特徴とする請求項１又は請求項４に記載の高圧縮率を持つ古い段ボール回収設備。
【請求項６】
前記線鋸が段ボール芯を切断でき、段ボールの耐圧構造を破壊し、段ボールが圧縮されやすくなることを特徴とする請求項５に記載の高圧縮率を持つ古い段ボール回収設備。
【請求項７】
前記連動装置は前記動力チャンバの後側内壁に回転できるように連結される前後に延びている回転盤軸を含み、前記回転盤軸にはマルチ楔プーリーが固定的に連結され、前記マルチ楔プーリーと前記副マルチ楔プーリーとの間にはマルチ楔ベルトが連結され、前記回転盤と前記回転盤軸とが固定的に連結され、且つ前記マルチ楔プーリーの前側に位置しており、前記動力チャンバの前側内壁には前記回転盤軸の左側に位置した前後に延びている回転軸が回転できるように連結され、前記回転軸には前記連結ロッドの左端にヒンジにより連結される扇状歯車が固定的に連結され、前記扇状歯車と前記ラックとが互いに噛合するように連結され、前記扇状歯車には揺動ロッドがヒンジにより連結され、前記揺動ロッドと前記扇状歯車とのヒンジにより連結されるところが前記連結ロッドと前記扇状歯車とのヒンジにより連結されるところの上側に位置しており、前記揺動ロッドの中間部が前記長クランクとヒンジにより連結されていることを特徴とする請求項１又は請求項３又は請求項４に記載の高圧縮率を持つ古い段ボール回収設備。
【請求項８】
前記圧縮装置は前記揺動ロッドとヒンジにより連結される従動ロッドを含み、前記従動ロッドの右端にはプッシュロッドがヒンジにより連結され、前記動力チャンバの右側内壁にはスライド台が固定的に連結され、前記スライド台の左側端面と前記プッシュロッドとがスライドできるように連結され、前記プッシュロッドの下端には段ボールを更に圧縮できる押しブロックが固定的に連結されていることを特徴とする請求項１又は請求項７に記載の高圧縮率を持つ古い段ボール回収設備。
【発明の詳細な説明】
【技術分野】
【０００１】
本発明は古い段ボール圧縮回収技術分野を取り上げて、具体的には高圧縮率を持つ古い段ボール回収設備である。
【背景技術】
【０００２】
段ボールは、ライナー紙と段ロールにより加工された波状の段ボール芯とが貼り合わせられて生成された板状の紙製品であり、一般的にはシングル段ボールとダブル段ボールに分けられ、段ボールのサイズによって、Ａと、Ｂと、Ｃと、Ｄと、Ｅの五種類に分けられ、段ボールの発明と応用には百年以上の歴史があり、コストが低いことや、重さが軽いことや、加工しやすいことや、耐圧性が強いことや、印刷適応性が良いことや、保存運搬が便利なことなどのメリットを持ち、８０％以上の段ボールはリサイクルされることができ、段ボールは食べ物とデジタル製品の包装のために使用されることができ、環境に優しく、広く使われており、段ボールを使用した後、一般的にはリサイクルし、回収する過程では、段ボールのよい耐圧性のため段ボールが圧縮されにくく、古い段ボールが圧縮されなくて直接に梱包し運搬され、その結果、古い段ボールが大きな空間を占め、運輸コストを高め、本発明は以上の問題を解決できる設備を開示する。
【先行技術文献】
【特許文献】
【０００３】
【特許文献１】中国特許出願公開第109109362号明細書
【発明の概要】
【発明が解決しようとする課題】
【０００４】
本発明の目的は高圧縮率を持つ古い段ボール回収設備を提供し、それは上記の現在の技術中の問題を解決できる。
【課題を解決するための手段】
【０００５】
技術問題：段ボールが良い耐圧性を持って圧縮されにくいため、段ボールが占めた空間が大きく、回収運搬のコストが高い。
【０００６】
上記の課題を解決するため、本発明は以下の技術プランを採用する：本発明の高圧縮率を持つ古い段ボール回収設備は、回収箱を含み、前記回収箱の中には動力チャンバが設置され、前記回収箱の中には前記動力チャンバの左側に位置した上方と右方に開口した原料チャンバが設置され、前記原料チャンバが圧縮待ちの古い段ボールを保存でき、前記回収箱の中には前記動力チャンバの右下側に位置した上方と右方に開口した圧縮チャンバが設置され、前記動力チャンバの中には前記原料チャンバの前側に位置した送り装置が設置され、前記送り装置が前記原料チャンバの中から古い段ボールを取り出すことができ、前記動力チャンバの中には前記送り装置の右側に位置した古い段ボールを運輸して初期圧縮できる伝送装置が設置され、前記動力チャンバの中には前記伝送装置の前後両側に位置した対称な切断装置が設置され、前記切断装置が段ボール芯を切断でき、前記動力チャンバの中には前記伝送装置の上側に位置した連動装置が設置され、前記動力チャンバの中には前記連動装置の右側に位置した圧縮装置が設置され、前記圧縮装置が切断された段ボールを更に圧縮でき、前記連動装置は前記動力チャンバの中に回転できるように連結される回転盤と、前記回転盤に固定的に連結される長クランクと、前記回転盤に固定的に連結され且つ前記長クランクの右側に位置した短クランクと、前記短クランクにヒンジにより連結される連結ロッドにより、また前記回転盤と前記長クランクとの回転を利用し、前記圧縮装置を運動連動させることができ、同時に前記回転盤が前記短クランクと前記連結ロッドにより前記送り装置を運動連動させることができる。
【０００７】
優選的には、前記圧縮チャンバの右側開口には箱ドアが回転できるように連結されている。
【０００８】
前記送り装置は前記動力チャンバの前側内壁に回転できるように連結された前後に延びている歯車軸を含み、前記歯車軸には方向変更歯車が固定的に連結され、前記歯車軸の下端には送りラックが噛合するように連結され、前記送りラックの後端には前記原料チャンバの下側内壁にスライドできるように連結される長プッシュブロックが固定的に連結され、前記長プッシュブロックが前記原料チャンバの前側端面から伸び出し、前記方向変更歯車の上端には前記原料チャンバの前側端面にスライドできるように連結されるラックが噛合するように連結されている。
【０００９】
前記伝送装置は前記動力チャンバの内壁に回転できるように連結される左右対称な二本のプーリー軸を含み、前記プーリー軸が前後に伸びており、且つ前記歯車軸の右下側に位置しており、前記プーリー軸にはプーリーが固定的に連結され、左右両側の前記プーリーの間にはベルトコンベヤーが連結され、左側の前記プーリー軸には前記動力チャンバの前側内壁に固定的に連結されるモーターが伝動できるように連結され、左側の前記プーリー軸には前記プーリーと前記モーターとの間に位置した同期プーリーが固定的に連結され、左側の前記プーリー軸には前記プーリーの後側に位置した主プーリーが固定的に連結され、前記動力チャンバの中には前記プーリー軸の上側に位置した左右対称な二本の連動軸が回転できるように連結され、前記連動軸が前後に延びており、且つ前記連動軸には圧着プーリーが固定的に連結され、左右両側の前記圧着プーリーの間にはＶベルトが連結され、左側の前記連動軸には前記圧着プーリーの後側に位置した副プーリーが固定的に連結され、前記副プーリーと前記主プーリーとの間には平ベルトが連結され、右側の前記連動軸には前記圧着プーリーの後側に位置した副マルチ楔プーリーが固定的に連結されている。
【００１０】
前記切断装置は前記動力チャンバの下側内壁に回転できるように連結される前後対称な二本の滑車輪軸を含み、前記滑車輪軸が上下に伸びており、前記滑車輪軸の上端には滑車輪が固定的に連結され、前後両側の前記滑車輪の間には上下対称な二本の線鋸が連結され、前側の前記滑車輪軸には前記滑車輪の下側に位置した副傘歯車が固定的に連結され、前記動力チャンバの前側内壁には前後に延びている複合軸が回転できるように連結され、前記複合軸には前記副傘歯車と噛合するように連結される主傘歯車が固定的に連結され、前記複合軸には前記主傘歯車の前側に位置した副同期プーリーが固定的に連結され、前記副同期プーリーと前記同期プーリーとの間には同期ベルトが連結されている。
【００１１】
優選的には、前記線鋸が段ボール芯を切断でき、段ボールの耐圧構造を破壊する。
【００１２】
前記連動装置は前記動力チャンバの後側内壁に回転できるように連結される前後に延びている回転盤軸を含み、前記回転盤軸にはマルチ楔プーリーが固定的に連結され、前記マルチ楔プーリーと前記副マルチ楔プーリーとの間にはマルチ楔ベルトが連結され、前記回転盤と前記回転盤軸とが固定的に連結され、且つ前記マルチ楔プーリーの前側に位置しており、前記動力チャンバの前側内壁には前記回転盤軸の左側に位置した前後に延びている回転軸が回転できるように連結され、前記回転軸には前記連結ロッドの左端にヒンジにより連結される扇状歯車が固定的に連結され、前記扇状歯車と前記ラックとが互いに噛合するように連結され、前記扇状歯車には揺動ロッドがヒンジにより連結され、前記揺動ロッドと前記扇状歯車とのヒンジにより連結されるところが前記連結ロッドと前記扇状歯車とのヒンジにより連結されるところの上側に位置しており、前記揺動ロッドの中間部が前記長クランクとヒンジにより連結されている。
【００１３】
優選的には、前記圧縮装置は前記揺動ロッドとヒンジにより連結される従動ロッドを含み、前記従動ロッドの右端にはプッシュロッドがヒンジにより連結され、前記動力チャンバの右側内壁にはスライド台が固定的に連結され、前記スライド台の左側端面と前記プッシュロッドとがスライドできるように連結され、前記プッシュロッドの下端には段ボールを更に圧縮できる押しブロックが固定的に連結されている。 
【発明の効果】
【００１４】
本発明の有益な効果は：本発明は運輸切断装置により、古い段ボールがベルトコンベヤーで運輸される過程で線鋸に段ボール芯が切断され、段ボールの耐圧構造を破壊し、段ボールが圧縮されやすくなり、それにより段ボールの圧縮率を高め、同時に複合伝動装置内のダブルクランク機構は運輸切断装置の動力をそれぞれ古い段ボール送り装置と圧縮装置に伝達し、それにより連続化の古い段ボール切断圧縮過程を実現し、古い段ボールの加工効率を高める。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の高圧縮率を持つ古い段ボール回収設備の全体構造概略図
【図２】図２は図１のＡ―Ａ方向の構造概略図
【図３】図３は図１のＢ―Ｂ方向の構造概略図
【図４】図４は図３のＣ―Ｃ方向の構造概略図
【図５】図５は図１のＤ―Ｄ方向の構造概略図
【発明を実施するための形態】
【００１７】
本発明の高圧縮率を持つ古い段ボール回収設備は、主に古い段ボール圧縮回収に適用され、以下に付図を合わせて本発明について詳しく説明する：
【００１８】
本発明の前記高圧縮率を持つ古い段ボール回収設備は、回収箱１１を含み、前記回収箱１１の中には動力チャンバ１２が設置され、前記回収箱１１の中には前記動力チャンバ１２の左側に位置した上方と右方に開口した原料チャンバ１７が設置され、前記原料チャンバ１７が圧縮待ちの古い段ボールを保存でき、前記回収箱１１の中には前記動力チャンバ１２の右下側に位置した上方と右方に開口した圧縮チャンバ２９が設置され、前記動力チャンバ１２の中には前記原料チャンバ１７の前側に位置した送り装置１０１が設置され、前記送り装置１０１が前記原料チャンバ１７の中から古い段ボールを取り出すことができ、前記動力チャンバ１２の中には前記送り装置１０１の右側に位置した古い段ボールを運輸して初期圧縮できる伝送装置１０２が設置され、前記動力チャンバ１２の中には前記伝送装置１０２の前後両側に位置した対称な切断装置１０３が設置され、前記切断装置１０３が段ボール芯を切断でき、前記動力チャンバ１２の中には前記伝送装置１０２の上側に位置した連動装置１０４が設置され、前記動力チャンバ１２の中には前記連動装置１０４の右側に位置した圧縮装置１０５が設置され、前記圧縮装置１０５が切断された段ボールを更に圧縮でき、前記連動装置１０４は前記動力チャンバ１２の中に回転できるように連結される回転盤２２と、前記回転盤２２に固定的に連結される長クランク２１と、前記回転盤２２に固定的に連結され且つ前記長クランク２１の右側に位置した短クランク５４と、前記短クランク５４にヒンジにより連結される連結ロッド２３により、また前記回転盤２２と前記長クランク２１との回転を利用し、前記圧縮装置１０５を運動連動させることができ、同時に前記回転盤２２が前記短クランク５４と前記連結ロッド２３により前記送り装置１０１を運動連動させることができる。
【００１９】
有益的には、前記圧縮チャンバ２９の右側開口には箱ドア２８が回転できるように連結されている。
【００２０】
実施例により、以下に送り装置１０１を詳しく説明し、前記送り装置１０１は前記動力チャンバ１２の前側内壁に回転できるように連結された前後に延びている歯車軸１５を含み、前記歯車軸１５には方向変更歯車１４が固定的に連結され、前記歯車軸１５の下端には送りラック１３が噛合するように連結され、前記送りラック１３の後端には前記原料チャンバ１７の下側内壁にスライドできるように連結される長プッシュブロック４０が固定的に連結され、前記長プッシュブロック４０が前記原料チャンバ１７の前側端面から伸び出し、前記方向変更歯車１４の上端には前記原料チャンバ１７の前側端面にスライドできるように連結されるラック１６が噛合するように連結されている。
【００２１】
実施例により、以下に伝送装置１０２を詳しく説明し、前記伝送装置１０２は前記動力チャンバ１２の内壁に回転できるように連結される左右対称な二本のプーリー軸３４を含み、前記プーリー軸３４が前後に伸びていおり、且つ前記歯車軸１５の右下側に位置しており、前記プーリー軸３４にはプーリー３５が固定的に連結され、左右両側の前記プーリー３５の間にはベルトコンベヤー３３が連結され、左側の前記プーリー軸３４には前記動力チャンバ１２の前側内壁に固定的に連結されるモーター４１が伝動できるように連結され、左側の前記プーリー軸３４には前記プーリー３５と前記モーター４１との間に位置した同期プーリー４３が固定的に連結され、左側の前記プーリー軸３４には前記プーリー３５の後側に位置した主プーリー４７が固定的に連結され、前記動力チャンバ１２の中には前記プーリー軸３４の上側に位置した左右対称な二本の連動軸３８が回転できるように連結され、前記連動軸３８が前後に延びており、且つ前記連動軸３８には圧着プーリー３７が固定的に連結され、左右両側の前記圧着プーリー３７の間にはＶベルト３６が連結され、左側の前記連動軸３８には前記圧着プーリー３７の後側に位置した副プーリー４８が固定的に連結され、前記副プーリー４８と前記主プーリー４７との間には平ベルト４６が連結され、右側の前記連動軸３８には前記圧着プーリー３７の後側に位置した副マルチ楔プーリー５５が固定的に連結されている。
【００２２】
実施例により、以下に切断装置１０３を詳しく説明し、前記切断装置１０３は前記動力チャンバ１２の下側内壁に回転できるように連結される前後対称な二本の滑車輪軸３２を含み、前記滑車輪軸３２が上下に伸びており、前記滑車輪軸３２の上端には滑車輪３１が固定的に連結され、前後両側の前記滑車輪３１の間には上下対称な二本の線鋸３０が連結され、前側の前記滑車輪軸３２には前記滑車輪３１の下側に位置した副傘歯車４５が固定的に連結され、前記動力チャンバ１２の前側内壁には前後に延びている複合軸５３が回転できるように連結され、前記複合軸５３には前記副傘歯車４５と噛合するように連結される主傘歯車４４が固定的に連結され、前記複合軸５３には前記主傘歯車４４の前側に位置した副同期プーリー５２が固定的に連結され、前記副同期プーリー５２と前記同期プーリー４３との間には同期ベルト４２が連結されている。
【００２３】
有益的には、前記線鋸３０が段ボール芯を切断でき、段ボールの耐圧構造を破壊し、段ボールが圧縮されやすくなり、それにより段ボールの圧縮率を高める。
【００２４】
実施例により、以下に連動装置１０４を詳しく説明し、前記連動装置１０４は前記動力チャンバ１２の後側内壁に回転できるように連結される前後に延びている回転盤軸５１を含み、前記回転盤軸５１にはマルチ楔プーリー５０が固定的に連結され、前記マルチ楔プーリー５０と前記副マルチ楔プーリー５５との間にはマルチ楔ベルト４９が連結され、前記回転盤２２と前記回転盤軸５１とが固定的に連結され、且つ前記マルチ楔プーリー５０の前側に位置しており、前記動力チャンバ１２の前側内壁には前記回転盤軸５１の左側に位置した前後に延びている回転軸１９が回転できるように連結され、前記回転軸１９には前記連結ロッド２３の左端にヒンジにより連結される扇状歯車１８が固定的に連結され、前記扇状歯車１８と前記ラック１６とが互いに噛合するように連結され、前記扇状歯車１８には揺動ロッド２０がヒンジにより連結され、前記揺動ロッド２０と前記扇状歯車１８とのヒンジにより連結されるところが前記連結ロッド２３と前記扇状歯車１８とのヒンジにより連結されるところの上側に位置しており、前記揺動ロッド２０の中間部が前記長クランク２１とヒンジにより連結されている。
【００２５】
実施例により、以下に圧縮装置１０５を詳しく説明し、前記圧縮装置１０５は前記揺動ロッド２０とヒンジにより連結される従動ロッド２４を含み、前記従動ロッド２４の右端にはプッシュロッド２５がヒンジにより連結され、前記動力チャンバ１２の右側内壁にはスライド台２６が固定的に連結され、前記スライド台２６の左側端面と前記プッシュロッド２５とがスライドできるように連結され、前記プッシュロッド２５の下端には段ボールを更に圧縮できる押しブロック２７が固定的に連結されている。
【００２６】
下記に図１〜図５に合わせて本発明の高圧縮率を持つ古い段ボール回収設備の使用ステップを詳しく説明する：
【００２７】
初期状態では、短クランク５４と連結ロッド２３とが平行しており、揺動ロッド２０とプッシュロッド２５とが上極限位置にあり、ラック１６が右極限位置にあり、送りラック１３が左極限位置にあり、圧縮待ちの段ボールを原料チャンバ１７の中に入れる。
【００２８】
作動するとき、モーター４１を始動し、モーター４１が左側のプーリー軸３４によりベルトコンベヤー３３とプーリー３５とを回転連動させ、同時に左側のプーリー軸３４が主プーリー４７と、平ベルト４６と、副プーリー４８により連動軸３８と、圧着プーリー３７と、Ｖベルト３６を回転連動させ、それによりベルトコンベヤー３３と、Ｖベルト３６が段ボールを伝送でき、左側のプーリー軸３４がまた同期プーリー４３と、同期ベルト４２と、副同期プーリー５２により複合軸５３を回転連動させ、複合軸５３が主傘歯車４４と副傘歯車４５との噛合連結により滑車輪軸３２と、滑車輪３１と、線鋸３０を回転連動させ、それにより線鋸３０が切断でき、同時に、右側の連動軸３８が副マルチ楔プーリー５５と、マルチ楔ベルト４９と、マルチ楔プーリー５０により回転盤軸５１を回転連動させ、回転盤軸５１が回転盤２２により短クランク５４を回転連動させ、短クランク５４が連結ロッド２３により扇状歯車１８と、回転軸１９を回転連動させ、扇状歯車１８が噛合連結によりラック１６をまず左方に移動連動させ、ラック１６が方向変更歯車１４により送りラック１３を右方に移動連動させて圧縮待ちの段ボールをベルトコンベヤー３３に送り、ベルトコンベヤー３３と、Ｖベルト３６が段ボールを初期圧縮して右側に伝送し、そして段ボールが線鋸３０に切断され、段ボール芯が破壊され、ベルトコンベヤー３３と、Ｖベルト３６が切断された段ボールを圧縮チャンバ２９の中に送り、回転盤２２が回転し短クランク５４を連動させると同時に長クランク２１を回転連動させ、長クランク２１が揺動ロッド２０をまず下方に回転連動させ、揺動ロッド２０が従動ロッド２４によりプッシュロッド２５を下方に移動連動させて切断された段ボールを更に圧縮し、そして揺動ロッド２０が従動ロッド２４によりプッシュロッド２５を連動させて上方に移動し復帰させ、同時に連結ロッド２３が扇状歯車１８を連動させてラック１６を右方に移動させ、ラック１６が方向変更歯車１４により送りラック１３を連動させて左方に移動し復帰させ、それにより一回の段ボールの圧縮加工過程を完成し、設備全体が全部の段ボールの圧縮加工を完成するまで以上のステップを繰り返し、同時に箱ドア２８を開けることにより圧縮完了された段ボールを取り出すことができる。
【００２９】
以上の方式により、当業者が本発明の範囲内において作業モジュールにより各種の変更を行うことができる。
【図１】
2020203312.tif 000003
【図２】
2020203312.tif 000004
【図３】
2020203312.tif 000005
【図４】
2020203312.tif 000006
【図５】
2020203312.tif 000007
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
正面視で、回収箱を含み、
前記回収箱の中には動力チャンバが設置され、前記回収箱の中には前記動力チャンバの左側に位置した上方と右方に開口した原料チャンバが設置され、前記原料チャンバが圧縮待ちの古い段ボールを保存でき、前記回収箱の中には前記動力チャンバの右下側に位置した上方と右方に開口した圧縮チャンバが設置され、前記動力チャンバの中には前記原料チャンバの前側に位置した送り装置が設置され、前記送り装置が前記原料チャンバの中から古い段ボールを取り出すことができ、前記動力チャンバの中には前記送り装置の右側に位置した古い段ボールを運輸して初期圧縮できる伝送装置が設置され、前記動力チャンバの中には前記伝送装置の前後両側に位置した対称な切断装置が設置され、前記切断装置が段ボール芯を切断でき、
前記動力チャンバの中には前記伝送装置の上側に位置した連動装置が設置され、前記動力チャンバの中には前記連動装置の右側に位置した圧縮装置が設置され、前記圧縮装置が切断された段ボールを更に圧縮でき、前記連動装置は前記動力チャンバの中に回転できるように連結される回転盤と、前記回転盤に固定的に連結される長クランクと、前記回転盤に固定的に連結され且つ前記長クランクの右側に位置した短クランクと、前記短クランクにヒンジにより連結される連結ロッドにより、また前記回転盤と前記長クランクとの回転を利用し、前記圧縮装置を運動連動させることができ、同時に前記回転盤が前記短クランクと前記連結ロッドにより前記送り装置を運動連動させることができることを特徴とする高圧縮率を持つ古い段ボール回収設備。
【請求項２】
前記圧縮チャンバの右側開口には箱ドアが回転できるように連結されていることを特徴とする請求項１に記載の高圧縮率を持つ古い段ボール回収設備。
【請求項３】
前記送り装置は前記動力チャンバの前側内壁に回転できるように連結された前後に延びている歯車軸を含み、前記歯車軸には方向変更歯車が固定的に連結され、前記歯車軸の下端には送りラックが噛合するように連結され、前記送りラックの後端には前記原料チャンバの下側内壁にスライドできるように連結される長プッシュブロックが固定的に連結され、前記長プッシュブロックが前記原料チャンバの前側端面から伸び出し、前記方向変更歯車の上端には前記原料チャンバの前側端面にスライドできるように連結されるラックが噛合するように連結されていることを特徴とする請求項１に記載の高圧縮率を持つ古い段ボール回収設備。
【請求項４】
前記伝送装置は前記動力チャンバの内壁に回転できるように連結される左右対称な二本のプーリー軸を含み、前記プーリー軸が前後に伸びており、且つ前記歯車軸の右下側に位置しており、前記プーリー軸にはプーリーが固定的に連結され、左右両側の前記プーリーの間にはベルトコンベヤーが連結され、左側の前記プーリー軸には前記動力チャンバの前側内壁に固定的に連結されるモーターが伝動できるように連結され、左側の前記プーリー軸には前記プーリーと前記モーターとの間に位置した同期プーリーが固定的に連結され、左側の前記プーリー軸には前記プーリーの後側に位置した主プーリーが固定的に連結され、前記動力チャンバの中には前記プーリー軸の上側に位置した左右対称な二本の連動軸が回転できるように連結され、前記連動軸が前後に延びており、且つ前記連動軸には圧着プーリーが固定的に連結され、左右両側の前記圧着プーリーの間にはＶベルトが連結され、左側の前記連動軸には前記圧着プーリーの後側に位置した副プーリーが固定的に連結され、前記副プーリーと前記主プーリーとの間には平ベルトが連結され、右側の前記連動軸には前記圧着プーリーの後側に位置した副マルチ楔プーリーが固定的に連結されていることを特徴とする請求項３に記載の高圧縮率を持つ古い段ボール回収設備。
【請求項５】
前記切断装置は前記動力チャンバの下側内壁に回転できるように連結される前後対称な二本の滑車輪軸を含み、前記滑車輪軸が上下に伸びており、前記滑車輪軸の上端には滑車輪が固定的に連結され、前後両側の前記滑車輪の間には上下対称な二本の線鋸が連結され、前側の前記滑車輪軸には前記滑車輪の下側に位置した副傘歯車が固定的に連結され、前記動力チャンバの前側内壁には前後に延びている複合軸が回転できるように連結され、前記複合軸には前記副傘歯車と噛合するように連結される主傘歯車が固定的に連結され、前記複合軸には前記主傘歯車の前側に位置した副同期プーリーが固定的に連結され、前記副同期プーリーと前記同期プーリーとの間には同期ベルトが連結されていることを特徴とする請求項４に記載の高圧縮率を持つ古い段ボール回収設備。
【請求項６】
前記線鋸が段ボール芯を切断でき、段ボールの耐圧構造を破壊し、段ボールが圧縮されやすくなることを特徴とする請求項５に記載の高圧縮率を持つ古い段ボール回収設備。
【請求項７】
前記連動装置は前記動力チャンバの後側内壁に回転できるように連結される前後に延びている回転盤軸を含み、前記回転盤軸にはマルチ楔プーリーが固定的に連結され、前記マルチ楔プーリーと前記副マルチ楔プーリーとの間にはマルチ楔ベルトが連結され、前記回転盤と前記回転盤軸とが固定的に連結され、且つ前記マルチ楔プーリーの前側に位置しており、前記動力チャンバの前側内壁には前記回転盤軸の左側に位置した前後に延びている回転軸が回転できるように連結され、前記回転軸には前記連結ロッドの左端にヒンジにより連結される扇状歯車が固定的に連結され、前記扇状歯車と前記ラックとが互いに噛合するように連結され、前記扇状歯車には揺動ロッドがヒンジにより連結され、前記揺動ロッドと前記扇状歯車とのヒンジにより連結されるところが前記連結ロッドと前記扇状歯車とのヒンジにより連結されるところの上側に位置しており、前記揺動ロッドの中間部が前記長クランクとヒンジにより連結されていることを特徴とする請求項４に記載の高圧縮率を持つ古い段ボール回収設備。
【請求項８】
前記圧縮装置は前記揺動ロッドとヒンジにより連結される従動ロッドを含み、前記従動ロッドの右端にはプッシュロッドがヒンジにより連結され、前記動力チャンバの右側内壁にはスライド台が固定的に連結され、前記スライド台の左側端面と前記プッシュロッドとがスライドできるように連結され、前記プッシュロッドの下端には段ボールを更に圧縮できる押しブロックが固定的に連結されていることを特徴とする請求項７に記載の高圧縮率を持つ古い段ボール回収設備。